(57)【要約】【課題】目標温度に対する温度リップルを少なくし、且つ、定着部に対する高温異常等の安全のための保護機能の誤動作を抑制できるようにする。【解決手段】発熱量に誤差の無いハロゲンヒータ７７を、ある規定温度の環境下で且つ連続通電したときに温度上昇度がΔＴｂ（℃）となるのに必要な時間Ｌｂが、発熱量の基本データとしてＲＯＭに記憶されている。装置組み立て工程内にて定格入力電源電圧に調整され、且つ、ある規定温度の環境下で連続通電したときにΔＴｂ（℃）となるのに必要な時間Ｌ１を測定し、これを発熱量データとして不揮発性ＲＡＭに記憶する。コントローラは、検出された発熱量データにより、係数ｋ＝Ｌ１／Ｌｂを設定し、基本の制御単位時間Ｎｂに対し、補正された制御時間Ｎ１（Ｎ１＝ｋ×Ｎｂ）を制御単位時間として設定する。【選択図】      図３
2004226498.tif 000002
【特許請求の範囲】
【請求項１】
像担持体に形成した静電潜像をトナー像として可視化し、該トナー像を記録媒体に転写用紙ナー像を保持した上記記録媒体を定着装置に通して定着する画像形成装置であって、上記定着装置の発熱量を検出する発熱量検出手段を有する画像形成装置において、
上記発熱量検出手段により検出された検出値に基づく発熱量データと、予めメモリに保持された基準とする発熱量データを比較し、該基準とする発熱量データを基に上記定着装置に対する通電時間と非通電時間の制御単位時間を補正する制御単位時間補正手段を有していることを特徴とする画像形成装置。
【請求項２】
請求項１記載の画像形成装置において、
上記基準とする発熱量データは、装置組み立て工程内の電源電圧、温度条件における上記定着装置の単位時間当たりの温度上昇分により決定された発熱量データであることを特徴とする画像形成装置。
【請求項３】
請求項１又は２記載の画像形成装置において、
上記制御単位時間を補正するタイミングは、電源投入時のウォームアップ時であることを特徴とする画像形成装置。
【請求項４】
請求項１又は２記載の画像形成装置において、
上記制御単位時間を補正するタイミングは、低電力モード又は省エネルギーモードから復帰するときのウォームアップ時であることを特徴とする画像形成装置。
【発明の詳細な説明】
【０００１】
【発明の属する技術分野】
本発明は、複写機、プリンタ、ファクシミリ、プロッタ等の画像形成装置に関する。
【０００２】
【従来の技術】
この種の画像形成装置では、画像情報に基づいて感光体ドラム等の像担持体上に静電潜像を形成し、該静電潜像を現像装置によりトナー像として可視像化し、該トナー像を転写手段により用紙状の記録媒体に転写するようになっている。
トナー像を転写された記録媒体は定着装置へ送られ、該定着装置で熱と圧力を加えられてトナー像を定着される。定着装置は、例えば内部に熱源としてのヒータを備えた定着ローラと、該定着ローラに圧接する加圧ローラを有し、定着ローラと加圧ローラのニップ部にトナー像を転写された記録媒体を通して挟持搬送する構成を有している。このような構成は熱ローラ方式と呼ばれている。
定着ローラと加熱ローラ間に無端状のベルトを掛け回し、定着ローラに対してベルトを挟んで加圧ローラを圧接させるベルト定着方式のものも知られている。
【０００３】
定着装置への給電は、予め設定された定着温度になるように、熱ローラ方式における定着ローラ又はベルト定着方式における定着ベルトの温度をサーミスタ等の温度検出手段により監視（検出）しながら制御するようになっている。すなわち、温度検出手段からの検出情報に基づいて単位時間当たりの通電時間と非通電時間のデューティ（Ｄｕｔｙ）を制御することにより温度制御を行っている。
また、電源電圧が下限となった場合でも印字不良を発生させない、又は印字可能となるまでの立ち上げ時間を規定時間内に終了させるために、抵抗値のバラツキを考慮して発熱量が大きな定着ヒータ（熱源）を搭載していた。
温度制御の方法としては、目標温度に対しての差異温度により、単位時間当たりの通電時間と非通電時間のデューティを決定するようにしている。
【０００４】
【特許文献１】
特開平５−３５０１２号公報
【特許文献１】
特開平８−１８５０８３号公報
【特許文献１】
特開平９−１０１７１８号公報
【０００５】
【発明が解決しようとする課題】
しかしながら、上記制御方法では、抵抗値の異なる定着ヒータであっても、電源電圧が各ユーザ先において異なる条件であっても同一条件で温度制御を行っていたため、発熱量が大きくなるような条件では、定着部の温度リップルが大きくなって目標温度に対して差異が大きくなり、立ち上がり時間の短縮化の妨げとなっていた。
また、定着部に対する高温異常等の安全のための保護機能の誤動作の可能性があった。
【０００６】
本発明は、目標温度に対する温度リップルを少なくし、且つ、定着部に対する高温異常等の安全のための保護機能の誤動作を抑制できる画像形成装置の提供を、その主な目的とする。
【０００７】
【課題を解決するための手段】
上記目的を達成するために、請求項１記載の発明では、像担持体に形成した静電潜像をトナー像として可視化し、該トナー像を記録媒体に転写用紙ナー像を保持した上記記録媒体を定着装置に通して定着する画像形成装置であって、上記定着装置の発熱量を検出する発熱量検出手段を有する画像形成装置において、上記発熱量検出手段により検出された検出値に基づく発熱量データと、予めメモリに保持された基準とする発熱量データを比較し、該基準とする発熱量データを基に上記定着装置に対する通電時間と非通電時間の制御単位時間を補正する制御単位時間補正手段を有している、という構成を採っている。
【０００８】
請求項２記載の発明では、請求項１記載の画像形成装置において、上記基準とする発熱量データは、装置組み立て工程内の電源電圧、温度条件における上記定着装置の単位時間当たりの温度上昇分により決定された発熱量データである、という構成を採っている。
【０００９】
請求項３記載の発明では、請求項１又は２記載の画像形成装置において、上記制御単位時間を補正するタイミングは、電源投入時のウォームアップ時である、という構成を採っている。
【００１０】
請求項４記載の発明では、請求項１又は２記載の画像形成装置において、上記制御単位時間を補正するタイミングは、低電力モード又は省エネルギーモードから復帰するときのウォームアップ時である、という構成を採っている。
【００１１】
【発明の実施の形態】
以下、本発明の第１の実施形態を図１乃至図３に基づいて説明する。
まず、図１に基づいて、本実施形態における画像形成装置としてのタンデム型中間転写方式のカラー複写機の構成及び画像形成動作の概要を説明する。
カラー複写機は、複写装置本体１と、該複写装置本体１が載置された給紙テーブル２と、複写装置本体１の上面に設けられたスキャナ３００と、該スキャナ３の上部に設けられた原稿自動搬送装置（ＡＤＦ）４を有している。
複写装置本体１には、略中央に、無端ベルト状の中間転写体（中間転写ベルト）１０が配置されている。中間転写体１０は、３つの支持ローラ１４、１５、１６に掛け回されて支持されており、図示しない駆動源により図中時計回りに方向に回転駆動される。
【００１２】
本実施形態では、３つの支持ローラ１４、１５、１６のうち、第２の支持ローラ１５の近傍には、画像転写（２次転写）後に中間転写体１０上に残留する残留トナーを除去する図示しない中間転写体クリーニング装置が設けられている。
３つの支持ローラ１４、１５、１６のうちで第１の支持ローラ１４と第２の支持ローラ１５間に張り渡された中間転写体１０上には、その搬送方向に沿って、イエロー（Ｙ）、シアン（Ｃ）、マゼンタ（Ｍ）、ブラック（Ｂｋ）の４つの画像形成手段１８Ｙ、１８Ｃ、１８Ｍ、１８Ｂｋが横に並べられて配置され、タンデム画像形成部（作像部）２０が構成されている。但し、これら４つの色順は一例であり、これに限定される趣旨ではない。
【００１３】
タンデム画像形成部２０において、個々のトナー像形成手段である画像形成手段１８Ｙ、１８Ｃ、１８Ｍ、１８Ｂｋでは、像担持体としてのドラム状の感光体４０Ｙ、４０Ｃ、４０Ｍ、４０Ｂｋの周りに、帯電装置としての帯電ローラ、現像装置、一次転写装置としての１次転写ローラ６２Ｙ、６２Ｃ、６２Ｍ、６２Ｂｋ、感光体クリーニング装置、感光体の表面電位を初期化する除電装置などが設けられている。
【００１４】
タンデム画像形成部２０の上方には、露光装置（光書込部）２１が配置されている。中間転写体１０を挟んでタンデム画像形成部２０と反対の側には、２次転写装置２２が配置されている。２次転写装置２２は、２つのローラ２３間に、無端ベルト状の２次転写ベルト２４を掛け渡して構成され、中間転写体１０を介して第３の支持ローラ１６に一方のローラ２３側を押し当てて配置されている。２次転写装置２２により中間転写体１０上の画像が、給紙テーブル２から給紙される記録媒体としての用紙に転写される。
２次転写装置２２の左側には、用紙上の転写画像を定着する定着装置２５が設けられている。定着装置２５は、無端ベルト状の定着ベルト２６に加圧ローラ２７を押し当てる構成を有している。
【００１５】
２次転写装置２２は、画像転写後の用紙を定着装置２５へと搬送する用紙搬送機能も備えている。
２次転写装置２２及び定着装置２５の下には、タンデム画像形成部２０と略平行に、用紙の両面に画像を記録する場合に用紙を反転する用紙反転装置２８が備えられている。
【００１６】
上記したカラー複写機を用いてコピーをとるときは、原稿自動搬送装置４の原稿台３０上に原稿をセットする。又は、原稿自動搬送装置４を開いてスキャナ３のコンタクトガラス３２上に原稿をセットし、原稿自動搬送装置４を閉じてそれで押さえる。
不図示のスタートスイッチを押すと、原稿自動搬送装置４に原稿をセットしたときは、原稿が自動的に搬送されてコンタクトガラス３２上へと移動して後、他方コンタクトガラス３２上に原稿をセットしたときは、直ちにスキャナ３が駆動され、第１走行体３３及び第２走行体３４が走行を開始する。
第１走行体３３で光源から光が照射されるとともに原稿面からの反射光をさらに反射して第２走行体３４に向け、第２走行体３４のミラーで反射して結像レンズ３５を通して読み取りセンサ３６に入れ、原稿内容を読み取る。
【００１７】
また、不図示のスタートスイッチを押すと、不図示の駆動手段としての駆動モータにより支持ローラ１４、１５、１６のうちの１つが回転駆動され、他の２つの支持ローラが従動回転し、中間転写体１０が回転駆動される。同時に、個々の画像形成手段１８Ｙ、１８Ｃ、１８Ｍ、１８Ｂｋではそれぞれに対応した感光体４０Ｙ、４０Ｃ、４０Ｍ、４０Ｂｋが回転し、各感光体４０Ｙ、４０Ｃ、４０Ｍ、４０Ｂｋ上にそれぞれ、イエロー、シアン、マゼンタ、ブラックの単色画像が形成される。画像形成は、周知のプロセスで行なわれる。
すなわち、まず、帯電ローラ６０Ｙ、６０Ｃ、６０Ｍ、６０Ｂｋで感光体４０Ｙ、４０Ｃ、４０Ｍ、４０Ｂｋの表面を一様に帯電し、次いでスキャナ３の読み取り内容に応じて上述した露光装置２１からレーザやＬＥＤ等による書込み光を照射して感光体４０Ｙ、４０Ｃ、４０Ｍ、４０Ｂｋ上に静電潜像を形成する。
【００１８】
その後、現像装置によりトナーが付着され、静電潜像を可視像化することで各感光体４０Ｙ、４０Ｃ、４０Ｍ、４０Ｂｋ上にそれぞれ、イエロー、シアン、マゼンタ、ブラックの単色画像を形成する。
中間転写体１０の搬送とともに、それらの単色画像を順次１次転写手段としての各１次転写ローラ６２Ｙ、６２Ｃ、６２Ｍ、６２Ｂｋにより転写して中間転写体１０上に合成カラー画像を形成する。
画像を転写された後の感光体４０Ｙ、４０Ｃ、４０Ｍ、４０Ｂｋの表面に残留したトナーは感光体クリーニング装置により清掃される。その後、感光体４０Ｙ、４０Ｃ、４０Ｍ、４０Ｂｋの表面電位が除電装置により初期化され、再度の画像形成に備える。
【００１９】
一方、不図示のスタートスイッチを押すと、給紙テーブル２の給紙ローラ４２の１つが選択回転され、ペーパーバンク４３に多段に備えられた給紙カセット４４のうちの１つから用紙Ｓが繰り出され、分離ローラ４５で１枚ずつ分離されて給紙路４６に搬送される。用紙は搬送ローラ４７で搬送されて複写機本体１内の給紙路４８に導かれ、レジストローラ対４９にて一旦止められる。ここで所定の過剰送りによってレジストローラ対４９のニップ部に用紙の先端が突き当てられ、スキューが修正される。
あるいは、給紙ローラ５０が回転されて手差用紙レイ５１上の用紙が繰り出され、分離ローラ５２で１枚ずつ分離されて手差し給紙路５３に搬送される。搬送された用紙は同じくレジストローラ対４９にて一旦止められる。
【００２０】
中間転写体１０上の合成カラー画像にタイミングを合わせてレジストローラ対４９が回転駆動され、中間転写体１０と２次転写装置２２との間に用紙が送り込まれ、２次転写装置２２により用紙上にカラー画像が転写される。
画像転写後の用紙は、２次転写装置２２で搬送されて定着装置２５へと送り込まれ、定着装置２５で熱と圧力とを加えられて転写画像を定着された後、切換爪５５で搬送方向を切り換えられて排出ローラ対５６で排出され、排紙トレイ５７上にスタックされる。又は、切換爪５５で搬送路を切り換えられて用紙反転装置２８に入れられ、そこで反転されて再び転写位置へと導かれ、裏面にも画像を記録された後、排出ローラ対５６で排紙トレイ５７上に排出される。
画像転写後の中間転写体１０は、上記中間転写体クリーニング装置で、画像転写後に中間転写体１０上に残留する残留トナーを除去され、タンデム画像形成部２０による再度の画像形成に備える。
【００２１】
図２に、本実施形態におけるカラー複写機の制御系統を示す。操作部（操作パネル）７１は、ユーザ又は作業者が、カラー複写機の状態を設定するための部分である。メモリとしてのＲＯＭ７２には、カラー複写機を制御するためのプログラム及び固定パラメータが記憶保持されている。
不揮発性ＲＡＭ７３には、カラー複写機の初期設定値が記憶保持され、バッテリーでバックアップされている。通信Ｉ／Ｆ７４は、ＬＡＮ等で図示しないホストコンピュータと接続されており、外部とのＩ／Ｆを制御している部分であり、外部からの印字データ等の入出力データを制御している。
コントローラ７０は、カラー複写機の全動作を制御する部分であり、ＣＰＵを含み、バスを介して各部を制御している。コントローラ７０は、制御単位時間補正手段としての機能を兼ねている。
【００２２】
図３に基づいて、定着装置２５の構成を詳細に説明する。
定着装置２５は、定着ローラ７５と、内部に熱源としてのハロゲンヒータ７７を有する加熱ローラ７６と、定着ローラ７５と加熱ローラ７６間に掛け回された定着ベルト２６と、定着ベルト２６を挟んで定着ローラ７５に圧接する加圧ローラ２７と、加熱ローラ７６側の温度（発熱量）を検出する温度検出手段（発熱量検出手段）としてのサーミスタ７８を有している。
トナー像を保持した記録媒体としての用紙Ｐは定着ベルト２６と加圧ローラ２７のニップ部で挟持搬送され、ここで熱と圧力を加えられてトナーが溶融し、用紙Ｐ上に定着される。
サーミスタ７８は、加熱ローラ７６側の定着ベルト２６の表面温度を検出し、その検出情報は、ハロゲンヒータ７７への通電又は非通電を制御するための温度情報としてコントローラ７０のＣＰＵにより読み取られる。
【００２３】
一般的に定着ヒータ（本実施形態ではハロゲンヒータ７７）の温度制御では、制御間隔単位時間は、固定された時間が決められている。すなわち、制御間隔単位時間の最初に温度検出を行い、定着ヒータへの通電又は非通電のデューティの割合は、例えば表１に示すように、サーミスタ等による温度検出手段が検出した温度ｔｓとＲＯＭに記憶されている目標温度ｔｒの差：ｔ＝ｔｒ−ｔｓによってＲＯＭから相当するパラメータ（デューティ比）を選択する方法で制御されている。
【００２４】
【表１】
2004226498.tif 000003
【００２５】
一般的に、定着ヒータでは、定格入力電源電圧の時の発熱量（温度）及び誤差が規定されている。
本実施形態では、発熱量に誤差の無い定着ヒータ（ハロゲンヒータ７７）を、ある規定温度の環境下で且つ連続通電したときに温度上昇度がΔＴｂ（℃）となるのに必要な時間Ｌｂが、発熱量の基本データ、すなわち、基準とする発熱量データとしてＲＯＭ７２に記憶されている。
装置組み立て工程内にて定格入力電源電圧に調整され、且つ、ある規定温度の環境下で連続通電したときにΔＴｂ（℃）となるのに必要な時間Ｌ１を測定し、これを発熱量データとして不揮発性ＲＡＭ７３に記憶する。この発熱量データとＲＯＭ７２に記憶された基準とする発熱量データとを比較することにより、定着ヒータの発熱量のバラツキを検出することができる。
コントローラ７０は、検出された発熱量データにより、係数ｋ＝Ｌ１／Ｌｂを設定する。
【００２６】
基本の制御単位時間Ｎｂに対し、補正された制御時間Ｎ１は、Ｎ１＝ｋ×Ｎｂとする。また、デューティは、補正された制御時間の中の割合で決まるため、係数ｋを乗じて補正することになり、温度差によって選択されるデューティは、定着ヒータの発熱量にバラツキがあったとしても、制御単位時間で選択されるデューティによる温度上昇度は誤差を補正することができる。
コントローラ７０は、補正された制御時間Ｎ１を制御単位時間として定着装置２５への給電（ハロゲンヒータ７７への通電）を制御する。
【００２７】
ユーザ先の電源電圧による補正方法（第２の実施形態）について説明する。なお、本実施形態以降の説明において構成は第１の実施形態と同様であるので、その図示及び説明は省略する。
第２装置組み立て工程内にて定格入力電源電圧に調整され、且つ、ある規定温度の環境下で連続通電したときに定着ヒータの温度がΔＴｂ（℃）となるのに必要な時間Ｌ１が発熱量データとし不揮発性ＲＡＭ７３に記憶される。
さらに、ユーザ先の電源電圧及び規定温度の環境下で連続通電したときにΔＴｂ（℃）となるのに必要な時間Ｌ２が検出された発熱量データとし不揮発性ＲＡＭ７３に記憶される。
【００２８】
コントローラ７０は、検出された発熱量データにより、係数ｊ＝Ｌ２／Ｌ１を設定する。基準の制御単位時間Ｎ１に対し、補正された制御時間Ｎ２は、Ｎ２＝ｊ×Ｎ１とする。また、デューティは、補正された制御時間の中の割合で決まるため、係数ｊを乗じて補正することになり、温度差によって選択されるデューティは、電源電圧にバラツキがあったとしても、制御単位時間で選択されるデューティによる温度上昇度は誤差を補正することができる。
コントローラ７０は、補正された制御時間Ｎ２を制御単位時間として定着装置２５への給電（ハロゲンヒータ７７への通電）を制御する。
【００２９】
次に、図４のフローチャートに基づいて第３の実施形態説明する。本実施形態では、制御単位時間を、電源投入時のウォームアップ時に行うことを特徴としている。
装置組み立て工程内にて定着ヒータのバラツキ調整を行うモードに入ると、まず、非通電時の定着部（定着ベルト２６）の温度ａの検出を行い、不揮発性ＲＡＭ７３に保存する（Ｓ１）。コントローラ７０は、ハロゲンヒータ７７への通電を開始すると共にタイマーをスタートさせる（Ｓ２）。温度検出を継続的に行い、そのときの温度をｂとすると、ｂ−ａ≧ΔＴｂとなったかどうかを判断する（Ｓ３）。ｂ−ａ≧ΔＴｂとなった場合には、それまでの測定時間Ｌ１を不揮発性ＲＡＭ７３に保存する（Ｓ４）。
次に、制御単位時間Ｎ１＝ｋ×Ｎｂを算出して不揮発性ＲＡＭ７３に保存し（Ｓ５）、終了する。コントローラ７０は、制御単位時間Ｎ１にて定着装置２５への給電を制御する。
【００３０】
次に、図５のフローチャートに基づいて第４の実施形態説明する。本実施形態では、制御単位時間を、低電力モード又は省エネルギーモードから復帰するときのウォームアップ時に行うことを特徴としている。
低電力モード又は省エネルギーモードから復帰した時、電源電圧のバラツキに対する補正モードへ入ると、まず、非通電時の定着部（定着ベルト２６）の温度ｃの検出を行う（Ｓ１）。次に、ΔＴにて判定を行うため、スタート時に高温状態であると定着部の許容温度を越える可能性があるため、補正を実施して良い温度範囲にあるかどうかを判断する（Ｓ２）。
【００３１】
補正を実施して良い場合、非通電時の定着部の温度ｃを不揮発性ＲＡＭ７３に保存する（Ｓ３）。次に、ハロゲンヒータ７７への通電を開始すると共にタイマーをスタートさせる（Ｓ４）。温度検出を継続的に行い、そのときの温度をｄとすると、ｄ−ｃ≧ΔＴｂとなったかどうかを判断する（Ｓ５）。ｄ−ｃ≧ΔＴｂとなった場合には、それまでの測定時間Ｌ２を不揮発性ＲＡＭ７３に保存する（Ｓ６）。
次に、制御単位時間Ｎ２＝ｊ×Ｎ１を算出して不揮発性ＲＡＭ７３に保存し（Ｓ７）、終了する。コントローラ７０は、プリント時は制御単位時間Ｎ２にて定着装置２５への給電を制御する。
Ｓ２において、補正が実施不可の温度範囲にある場合、前回の制御単位時間Ｎ２を不揮発性ＲＡＭ７３に保持し、プリント時に参照する（Ｓ８）。
【００３２】
上記各実施形態では、ベルト定着方式の定着装置を有する画像形成装置への適用例を示したが、熱ローラ方式の定着装置を有する画像形成装置においても同様に実施することができる。
【００３３】
【発明の効果】
請求項１記載の発明によれば、像担持体に形成した静電潜像をトナー像として可視化し、該トナー像を記録媒体に転写用紙ナー像を保持した上記記録媒体を定着装置に通して定着する画像形成装置であって、上記定着装置の発熱量を検出する発熱量検出手段を有する画像形成装置において、上記発熱量検出手段により検出された検出値に基づく発熱量データと、予めメモリに保持された基準とする発熱量データを比較し、該基準とする発熱量データを基に上記定着装置に対する通電時間と非通電時間の制御単位時間を補正する制御単位時間補正手段を有している構成としたので、目標温度に対する温度リップルを少なくでき、且つ、定着部に対する高温異常等の安全のための保護機能の誤動作の可能性を無くすことができる。
【００３４】
請求項２記載の発明によれば、請求項１記載の画像形成装置において、上記基準とする発熱量データは、装置組み立て工程内の電源電圧、温度条件における上記定着装置の単位時間当たりの温度上昇分により決定された発熱量データである構成としたので、換言すれば、装置組み立て工程内で管理された電源条件、定着部の温度条件において、ある温度制御条件による定着ヒータの単位時間当たりの温度上昇分により、定着ヒータの発熱量を特定することにより、これを基準の発熱量データと比較して制御単位時間を補正しているので、目標温度に対する温度リップルを少なくでき、且つ、定着部に対する高温異常等の安全のための保護機能の誤動作の可能性を無くすことができる。
【００３５】
請求項３記載の発明によれば、請求項１又は２記載の画像形成装置において、上記制御単位時間を補正するタイミングは、電源投入時のウォームアップ時である構成としたので（電源ＯＮ時の定着部の温度条件を考慮し、ある温度制御条件による定着ヒータの単位時間当たりの温度上昇分により、電源電圧を特定することにより、これを基準の発熱量データと比較し、制御単位時間を補正しているので）、目標温度に対する温度リップルを少なくでき、且つ、定着部に対する高温異常等の安全のための保護機能の誤動作の可能性を無くすことができる。
【００３６】
請求項４記載の発明によれば、請求項１又は２記載の画像形成装置において、上記制御単位時間を補正するタイミングは、低電力モード又は省エネルギーモードから復帰するときのウォームアップ時である構成としたので（低電力モード又は省エネルギーモードから復帰の定着部の温度条件を考慮し、ある温度制御条件による定着ヒータの単位時間当たりの温度上昇分により、電源電圧を特定することにより、これを基準の発熱量データと比較し、制御単位時間を補正しているので）、目標温度に対する温度リップルを少なくでき、且つ、定着部に対する高温異常等の安全のための保護機能の誤動作の可能性を無くすことができる。
【図面の簡単な説明】
【図１】本発明の実施形態における画像形成装置としてのカラー複写機の概要正面図である。
【図２】制御ブロック図である。
【図３】定着装置の概要正面図である。
【図４】第３の実施形態における制御動作を示すフローチャートである。
【図５】第４の実施形態における制御動作を示すフローチャートである。
【符号の説明】
Ｐ  記録媒体としての用紙
２５  定着装置
４０  像担持体としての感光体
７０  制御単位時間補正手段としてのコントローラ
７８  発熱量検出手段としてのサーミスタ
【図１】
2004226498.tif 000004
【図２】
2004226498.tif 000005
【図３】
2004226498.tif 000006
【図４】
2004226498.tif 000007
【図５】
2004226498.tif 000008